(57)【特許請求の範囲】
【請求項１】
健康管理装置と、炊飯器と、を備える健康管理システムであって、
前記炊飯器は、
ユーザを識別するためのユーザ情報を取得するユーザ情報取得手段と、
前記ユーザにより前記炊飯器の使用が開始された場合に、通知情報として、前記ユーザ情報取得手段によって取得された前記ユーザ情報を前記健康管理装置に出力する通知情報出力手段と、
前記健康管理装置から出力された、前記ユーザの健康管理に関する提示情報を取得する提示情報取得手段と、
前記提示情報取得手段によって取得された前記提示情報を、前記炊飯器から取り出された飯の量に応じて変更する提示情報変更手段と、
前記提示情報変更手段によって変更された前記提示情報を提示する提示手段と、を備え、
前記健康管理装置は、
前記炊飯器から出力された前記ユーザ情報を取得する通知情報取得手段と、
前記通知情報取得手段によって前記ユーザ情報が取得されると、取得された前記ユーザ情報によって識別される前記ユーザの健康管理に関する前記提示情報を前記炊飯器に出力する提示情報出力手段と、を備える、
健康管理システム。
【請求項２】
前記健康管理システムは、前記ユーザの身体に関する身体情報を測定する測定機器、をさらに備え、
前記測定機器は、
前記身体情報を測定する身体情報測定手段と、
前記身体情報測定手段によって測定された前記身体情報を前記健康管理装置に出力する身体情報出力手段と、を備え、
前記健康管理装置は、
前記測定機器から出力された前記身体情報を取得する身体情報取得手段、をさらに備え、
前記提示情報出力手段は、前記通知情報取得手段によって前記ユーザ情報が取得されると、前記身体情報取得手段によって取得された前記身体情報に応じた前記提示情報を前記炊飯器に出力する、
請求項１に記載の健康管理システム。
【請求項３】
前記健康管理装置において、
前記提示情報出力手段は、前記身体情報取得手段によって前記身体情報が取得されると、取得された前記身体情報に応じた、前記ユーザの健康管理に関する第２の提示情報を前記測定機器に出力し、
前記測定機器は、
前記健康管理装置から出力された前記第２の提示情報を取得する第２の提示情報取得手段と、
前記第２の提示情報取得手段によって前記第２の提示情報が取得されると、取得された前記第２の提示情報を提示する第２の提示手段と、をさらに備える、
請求項２に記載の健康管理システム。
【請求項４】
前記健康管理システムは、前記ユーザによって操作される端末装置、をさらに備え、
前記端末装置は、
前記ユーザの健康管理の目標を表す目標情報を前記健康管理装置に出力する目標情報出力手段、を備え、
前記健康管理装置は、
前記端末装置から出力された前記目標情報を取得する目標情報取得手段、をさらに備え、
前記提示情報出力手段は、前記通知情報取得手段によって前記ユーザ情報が取得されると、前記目標情報取得手段によって取得された前記目標情報と前記身体情報取得手段によって取得された前記身体情報との差異に応じた前記提示情報を前記炊飯器に出力する、
請求項２又は３に記載の健康管理システム。
【請求項５】
前記健康管理装置は、
前記目標情報取得手段によって取得された前記目標情報と前記身体情報取得手段によって取得された前記身体情報とに基づいて、前記ユーザの目標消費カロリーを定めた健康管理計画を生成する健康管理計画生成手段、をさらに備え、
前記提示情報出力手段は、前記健康管理計画生成手段によって生成された前記健康管理計画において定められた前記目標消費カロリーに対する、前記ユーザの実際の消費カロリーの過不足分を補うことを前記ユーザに促す第３の提示情報を前記端末装置に出力し、
前記端末装置は、
前記健康管理装置から出力された前記第３の提示情報を取得する第３の提示情報取得手段と、
前記第３の提示情報取得手段によって前記第３の提示情報が取得されると、取得された前記第３の提示情報を提示する第３の提示手段と、をさらに備える、
請求項４に記載の健康管理システム。
【請求項６】
炊飯器であって、
ユーザを識別するためのユーザ情報を取得するユーザ情報取得手段と、
前記ユーザにより前記炊飯器の使用が開始された場合に、通知情報として、前記ユーザ情報取得手段によって取得された前記ユーザ情報を健康管理装置に出力する通知情報出力手段と、
前記通知情報出力手段によって出力された前記ユーザ情報に対する応答として前記健康管理装置から出力された、前記ユーザの健康管理に関する提示情報を取得する提示情報取得手段と、
前記提示情報取得手段によって取得された前記提示情報を、前記炊飯器から取り出された飯の量に応じて変更する提示情報変更手段と、
前記提示情報変更手段によって変更された前記提示情報を提示する提示手段と、を備える、
炊飯器。
【請求項７】
ユーザを識別するためのユーザ情報を取得し、
前記ユーザにより炊飯器の使用が開始された場合に、取得された前記ユーザ情報を健康管理装置に出力し、
出力された前記ユーザ情報に対する応答として、前記健康管理装置から、前記ユーザの健康管理に関する提示情報を取得し、
取得された前記提示情報を、前記炊飯器から取り出された飯の量に応じて変更し、
変更された前記提示情報を提示する、
提示方法。
【請求項８】
炊飯器のコンピュータを、
ユーザを識別するためのユーザ情報を取得するユーザ情報取得手段、
前記ユーザにより前記炊飯器の使用が開始された場合に、通知情報として、前記ユーザ情報取得手段によって取得された前記ユーザ情報を健康管理装置に出力する通知情報出力手段、
前記通知情報出力手段によって出力された前記ユーザ情報に対する応答として前記健康管理装置から出力された、前記ユーザの健康管理に関する提示情報を取得する提示情報取得手段、
前記提示情報取得手段によって取得された前記提示情報を、前記炊飯器から取り出された飯の量に応じて変更する提示情報変更手段、
前記提示情報変更手段によって変更された前記提示情報を提示する提示手段、として機能させる、
プログラム。
【発明の詳細な説明】
【技術分野】
【０００１】
本発明は、健康管理システム、炊飯器、提示方法及びプログラムに関する。
【背景技術】
【０００２】
近年、健康に対する意識の高まりにより、ユーザの健康管理に関する情報を提示する装置及びシステムが提唱されている。
【０００３】
例えば特許文献１は、ユーザの身体に装着されたデバイスによりユーザの様々な状態を計測及び判断し、健康管理又はパーソナルナビゲーション等の生活支援を行う生活支援装置を開示している。具体的に説明すると、特許文献１に開示された生活支援装置は、ユーザの身体に装着されたデバイスにより取得されたユーザの脈拍、血圧又は体温等の生体情報とユーザの行動情報とを関連付けることにより、ユーザの健康状態を判断し、ユーザが携帯している携帯電話又はディスプレイにおいて、ユーザの健康状態の改善に向けたアドバイスを提示する。
【先行技術文献】
【特許文献】
【０００４】
【特許文献１】特許第４３２７８２５号公報
【発明の概要】
【発明が解決しようとする課題】
【０００５】
上述した特許文献１に開示された生活支援装置は、ユーザの健康状態の改善に向けたアドバイスを携帯電話又はディスプレイ等の端末装置において提示するため、ユーザがアドバイスを確認するには、その都度端末装置を確認する必要が生じる。そのため、例えば家事の合間又は入浴中等、在宅中のユーザにとって端末装置を即座に確認することが難しい場面では、アドバイスを確認することが困難であった。
【０００６】
しかしながら、健康管理は、ユーザが日頃から気を付けていないと、その効果が低下しがちである。そのため、健康管理の効果を高めるためには、在宅中のユーザにとって端末装置を確認することが難しい場面でも、健康管理に関する情報をユーザが容易に確認できるようにすることが望ましい。
【０００７】
本発明は、上記のような問題点を解決するためになされたものであり、在宅中のユーザに健康管理に関する情報を的確に提示することが可能な健康管理システム等を提供することを目的とする。
【０００８】
上記目的を達成するために、本発明に係る健康管理システムは、
健康管理装置と、炊飯器と、を備える健康管理システムであって、
前記炊飯器は、
ユーザを識別するためのユーザ情報を取得するユーザ情報取得手段と、
前記ユーザにより前記炊飯器の使用が開始された場合に、通知情報として、前記ユーザ情報取得手段によって取得された前記ユーザ情報を前記健康管理装置に出力する通知情報出力手段と、
前記健康管理装置から出力された、前記ユーザの健康管理に関する提示情報を取得する提示情報取得手段と、
前記提示情報取得手段によって取得された前記提示情報を、前記炊飯器から取り出された飯の量に応じて変更する提示情報変更手段と、
前記提示情報変更手段によって変更された前記提示情報を提示する提示手段と、を備え、
前記健康管理装置は、
前記炊飯器から出力された前記ユーザ情報を取得する通知情報取得手段と、
前記通知情報取得手段によって前記ユーザ情報が取得されると、取得された前記ユーザ情報によって識別される前記ユーザの健康管理に関する前記提示情報を前記炊飯器に出力する提示情報出力手段と、を備える。
【発明の効果】
【０００９】
本発明では、健康管理装置が、炊飯器を使用しているユーザの健康管理に関する情報を炊飯器に出力し、炊飯器が、健康管理装置から出力された情報を提示する。従って、本発明によれば、在宅中のユーザに健康管理に関する情報を的確に提示することができる。
【図面の簡単な説明】
【００１０】
【図１】本発明の実施の形態１における健康管理システムの全体構成の一例を示すブロック図である。
【図２】実施の形態１における健康管理装置のハードウェア構成の一例を示すブロック図である。
【図３】実施の形態１における端末装置のハードウェア構成の一例を示すブロック図である。
【図４】実施の形態１における測定機器のハードウェア構成の一例を示すブロック図である。
【図５】実施の形態１における宅内機器のハードウェア構成の一例を示すブロック図である。
【図６】端末装置、測定機器及び宅内機器の機能構成の一例を示すブロック図である。
【図７】健康管理装置の機能構成の一例を示すブロック図である。
【図８】管理テーブルの一例を示す図である。
【図９】健康管理計画のレイアウトの一例を示す図である。
【図１０】端末装置において提示される提示情報のレイアウトの一例を示す図である。
【図１１】測定機器において提示される提示情報のレイアウトの一例を示す図である。
【図１２】アドバイスデータ、及び、アドバイスデータに基づいて宅内機器において提示される提示情報が生成される方法の一例を示す図である。
【図１３】健康管理装置によって実行される処理の流れの一例を示す第１のフローチャートである。
【図１４】健康管理装置によって実行される処理の流れの一例を示す第２のフローチャートである。
【図１５】本発明の実施の形態２における宅内機器の機能構成の一例を示すブロック図である。
【図１６】実施の形態２における宅内機器において算出される飯の量の過不足分を示すパラメータテーブルの一例を示す図である。
【図１７】実施の形態２における宅内機器において生成される提示情報のレイアウトの一例を示す図である。
【図１８】実施の形態２における宅内機器によって実行される処理の流れの一例を示すフローチャートである。
【図１９】変形例における健康管理システムの全体構成の一例を示すブロック図である。
【発明を実施するための形態】
【００１１】
以下、本発明の実施の形態について、図面を参照しながら詳細に説明する。なお、図中同一又は相当部分には同一符号を付す。
【００１２】
（実施の形態１）
図１を参照して、本発明の実施の形態１に係る健康管理システム１について説明する。健康管理システム１は、住宅Ｈの居住者であるユーザの健康管理に関するパーソナルナビゲーションを行うことで、ユーザの生活を支援するシステムである。健康管理とは、生活習慣病に代表される病気の予防又は治療だけでなく、心身の快適性を高める又は維持することを意味し、例えばダイエット又は肉体改造等を含む。
【００１３】
健康管理システム１は、ユーザの健康管理に関する情報として、ユーザの健康状態の改善に向けたアドバイスを提示する。ユーザの健康状態の改善に向けたアドバイスとは、例えばユーザが病気の予防若しくは治療、ダイエット又は肉体改造等に向けて取り組む際に、ユーザ自身がこの取り組みを効果的に実施できるように促すものであり、以降、アドバイスとはこれを指すものとする。
【００１４】
図１に示すように、健康管理システム１は、システム全体を制御する健康管理装置１００と、ユーザによって操作される端末装置２００と、ユーザの身体情報を測定する測定機器３００Ａ及び測定機器３００Ｂと、住宅Ｈ内に設置された宅内機器４００Ａ及び宅内機器４００Ｂと、を備える。各装置及び各機器は、図示しない商用電源、太陽光発電設備又は蓄電設備等から電力の供給を得て動作する。
【００１５】
健康管理装置１００は、端末装置２００、測定機器３００及び宅内機器４００から宅内ネットワークＮ１等を介して送信される情報を収集する情報収集ユニットである。健康管理装置１００は、一例として、住宅Ｈ内に設置された各装置及び各機器を統合的に制御することが可能なＨＥＭＳ（Home Energy Management System）コントローラである。
【００１６】
図２に示すように、健康管理装置１００は、制御部１１と、記憶部１２と、計時部１３と、端末通信部１４と、機器通信部１５と、を備える。これら各部はバス１９を介して接続されている。
【００１７】
制御部１１は、何れも図示しないが、ＣＰＵ（Central Processing Unit）、ＲＯＭ（Read Only Memory）、及び、ＲＡＭ（Random Access Memory）等を備える。ＣＰＵは、中央処理装置、中央演算装置、プロセッサ、マイクロプロセッサ、マイクロコンピュータ、又は、ＤＳＰ（Digital Signal Processor）等ともいう。制御部１１において、ＣＰＵは、ＲＯＭに格納されたプログラム及びデータを読み出し、ＲＡＭをワークエリアとして用いて、健康管理装置１００を統括制御する。
【００１８】
記憶部１２は、例えば、フラッシュメモリ、ＥＰＲＯＭ（Erasable Programmable ROM）、又は、ＥＥＰＲＯＭ（Electrically Erasable Programmable ROM）等の不揮発性の半導体メモリであって、いわゆる二次記憶装置（補助記憶装置）としての役割を担う。記憶部１２は、制御部１１が各種処理を行うために使用する各種プログラム及びデータ、並びに、制御部１１が各種処理を行うことにより生成又は取得する各種データを記憶する。
計時部１３は、ＲＴＣ（Real Time Clock）を備えており、健康管理装置１００の電源がオフの間も計時を継続する計時デバイスである。
【００１９】
端末通信部１４は、予め定めた通信インタフェースを備えており、制御部１１の制御の下、端末装置２００と予め定めた通信方式に則って通信する。端末通信部１４は、端末装置２００を所持するユーザが住宅Ｈ内に居る場合には、端末装置２００と周知の無線ＬＡＮ（Local Area Network）の規格に則って通信する。一方、ユーザが住宅Ｈ外に居る場合のようにユーザが無線ＬＡＮによる通信範囲外にいる場合では、広域ネットワークを介して端末装置２００と通信する。
【００２０】
機器通信部１５は、予め定めた通信インタフェースを備えており、例えばエコーネットライト（ECHONET Lite）に準じたネットワークである宅内ネットワークＮ１に有線又は無線にて通信可能に接続する。機器通信部１５は、制御部１１の制御の下、宅内ネットワークＮ１を介して測定機器３００Ａ，３００Ｂ及び宅内機器４００Ａ，４００Ｂのそれぞれと通信する。
【００２１】
端末装置２００は、例えば、スマートフォン、タブレット端末、リモコン、携帯電話又はノート型パソコン等の携帯デバイスである。図３に示すように、端末装置２００は、制御部２１と、記憶部２２と、ユーザインタフェース２３と、通信部２４と、を備える。これら各部はバス２９を介して接続されている。
【００２２】
制御部２１は、ＣＰＵ、ＣＰＵの処理に必要なプログラム及びデータを格納したＲＯＭ、及び、ＣＰＵのワークエリアとして機能するＲＡＭ等を備えており、端末装置２００を統括制御する。
記憶部２２は、例えば、フラッシュメモリ、ＥＰＲＯＭ、又は、ＥＥＰＲＯＭ等の不揮発性の半導体メモリであって、いわゆる二次記憶装置（補助記憶装置）としての役割を担う。
【００２３】
ユーザインタフェース２３は、例えば、ＬＣＤ（Liquid Crystal Display）パネル又は有機ＥＬ（Electro-Luminescence）パネル等の表示部と、タッチパネル又はタッチパッド等の入力部と、を備える。ユーザインタフェース２３は、入力部を介してユーザから各種の操作を受け付け、また、表示部を介して各種の画面等を表示する。
通信部２４は、予め定めた通信インタフェースを備えており、制御部２１の制御の下、無線ＬＡＮ又は広域ネットワークを介して、健康管理装置１００と通信する。
【００２４】
測定機器３００Ａ及び測定機器３００Ｂは、ユーザの身体に関する身体情報を測定する機器である。測定機器３００Ａは、住宅Ｈ内に設置された状態でユーザの身体情報を測定する据え置き型の機器であって、例えば体重計又は体組成計等、体重、体脂肪率又は筋肉量等、ユーザの身体的特性に関する特性情報を測定する機器である。これに対して、測定機器３００Ｂは、ユーザに装着された状態でユーザの生体情報を測定するウェアラブル型の機器であって、例えば活動量計、歩数計又は血圧計等、身体活動量、消費カロリー、血圧又は心拍数等、ユーザの生体に関する生体情報を測定する機器である。
【００２５】
このようなユーザの特性情報及び生体情報は、いずれもユーザの身体に関する情報であるため、以下では、特性情報と生体情報とを包括して身体情報という。また、以下では、測定機器３００Ａと測定機器３００Ｂとを区別せずに称する場合には、測定機器３００と総称する。
【００２６】
図４に示すように、測定機器３００（すなわち測定機器３００Ａ及び測定機器３００Ｂのそれぞれ）は、制御部３１と、記憶部３２と、ユーザインタフェース３３と、通信部３４と、測定部３５と、を備える。これら各部はバス３９を介して接続されている。
測定部３５は、この測定機器３００の本来的な機能であるユーザの身体情報を測定する機能を実現するための構成部である。具体的に説明すると、測定部３５は、例えば測定機器３００が体重計又は体組成計であればユーザの体重又は体脂肪率等を測定する機能を実現するための構成部であって、測定機器３００が活動量計又は歩数計であればユーザの身体活動量及び消費カロリーを測定する機能を実現するための構成部である。
【００２７】
制御部３１は、ＣＰＵ、ＣＰＵの処理に必要なプログラム及びデータを格納したＲＯＭ、及び、ＣＰＵのワークエリアとして機能するＲＡＭ等を備えており、測定機器３００を統括制御する。
記憶部３２は、例えば、フラッシュメモリ、ＥＰＲＯＭ、又は、ＥＥＰＲＯＭ等の不揮発性の半導体メモリであって、いわゆる二次記憶装置（補助記憶装置）としての役割を担う。記憶部３２は、この測定機器３００を識別するための識別情報、健康管理装置１００と通信するためのプログラム及びデータ、並びに、測定部３５を制御するためのプログラム及びデータ等を記憶する。
【００２８】
ユーザインタフェース３３は、例えば、ＬＣＤパネル又は有機ＥＬパネル等の表示部と、タッチパネル、タッチパッド、スイッチ又は各種の押圧ボタン等の入力部と、を備える。ユーザインタフェース３３は、入力部を介してユーザから各種の操作を受け付け、また、表示部を介して各種の画面等を表示する。
通信部３４は、例えば、予め定めた通信インタフェースを備える。通信部３４は、宅内ネットワークＮ１に有線又は無線にて通信可能に接続し、制御部３１の制御の下、健康管理装置１００と宅内ネットワークＮ１を介して通信する。
【００２９】
宅内機器４００Ａ及び宅内機器４００Ｂは、住宅Ｈ内に設置され、住宅Ｈ内においてユーザによって使用される電気機器又はその電気機器の専用リモコン等である。具体的に説明すると、宅内機器４００Ａ及び宅内機器４００Ｂは、例えば炊飯器、給湯リモコン、掃除機、冷蔵庫、電子レンジ、オーブン又はＩＨ（Induction Heating）調理器等である。宅内機器４００Ａ及び宅内機器４００Ｂは、端末装置２００のようにユーザに携帯されて使用されることが通常は想定されていない機器であって、測定機器３００のようにユーザの身体情報を測定することが主要な機能ではない機器と言うことができる。以下では、宅内機器４００Ａと宅内機器４００Ｂとを区別せずに称する場合には、宅内機器４００と総称する。
【００３０】
図５に示すように、宅内機器４００（すなわち宅内機器４００Ａ及び宅内機器４００Ｂのそれぞれ）は、制御部４１と、記憶部４２と、ユーザインタフェース４３と、通信部４４と、主要動作部４５と、を備える。これら各部はバス４９を介して接続されている。
主要動作部４５は、この宅内機器４００の本来的な機能を実現するための構成部である。具体的に説明すると、主要動作部４５は、例えば宅内機器４００が炊飯器であれば炊飯機能を実現するための構成部であって、例えば宅内機器４００が給湯リモコンであれば給湯機を操作するためのユーザインタフェース機能を実現するための構成部である。
【００３１】
制御部４１は、ＣＰＵ、ＣＰＵの処理に必要なプログラム及びデータを格納したＲＯＭ、及び、ＣＰＵのワークエリアとして機能するＲＡＭ等を備えており、宅内機器４００を統括制御する。
記憶部４２は、例えば、フラッシュメモリ、ＥＰＲＯＭ、又は、ＥＥＰＲＯＭ等の不揮発性の半導体メモリであって、いわゆる二次記憶装置（補助記憶装置）としての役割を担う。記憶部４２は、この宅内機器４００を識別するための識別情報、健康管理装置１００と通信するためのプログラム及びデータ、並びに、主要動作部４５を制御するためのプログラム及びデータ等を記憶する。
【００３２】
ユーザインタフェース４３は、例えば、ＬＣＤパネル又は有機ＥＬパネル等の表示部と、タッチパネル、タッチパッド、スイッチ又は各種の押圧ボタン等の入力部と、を備える。ユーザインタフェース４３は、入力部を介してユーザから各種の操作を受け付け、また、表示部を介して各種の画面等を表示する。
通信部４４は、例えば、予め定めた通信インタフェースを備える。通信部４４は、宅内ネットワークＮ１に有線又は無線にて通信可能に接続し、制御部４１の制御の下、健康管理装置１００と宅内ネットワークＮ１を介して通信する。
【００３３】
次に、図６及び図７を参照して、端末装置２００、測定機器３００、宅内機器４００、及び、健康管理装置１００の機能的な構成について説明する。これらの各機能は、ソフトウェア、ファームウェア、又は、ソフトウェアとファームウェアとの組み合わせによって実現される。ソフトウェア及びファームウェアは、プログラムとして記述され、各装置又は各機器におけるＲＯＭ又は記憶部に格納される。そして、制御部において、ＣＰＵが、ＲＯＭ又は記憶部に記憶されたプログラムを実行することによって、各部の機能を実現する。
【００３４】
図６に示すように、端末装置２００は、機能的に、健康管理の目標を表す目標情報の入力を受け付ける目標情報受付部２１０と、健康管理装置１００へ目標情報を出力する目標情報出力部２２０と、健康管理装置１００から健康管理に関する提示情報を取得する提示情報取得部２４０と、提示情報を提示する提示部２５０と、を備える。
【００３５】
目標情報受付部２１０は、端末装置２００を操作しているユーザから、ユーザインタフェース２３を介して目標情報の入力を受け付ける。目標情報とは、健康管理においてユーザが目標とする体重、体脂肪率又は消費カロリー等の身体情報、及び、目標達成期間等の情報である。ユーザは、例えば自身が目標とする目標情報を、ユーザインタフェース２３を介して入力することができる。目標情報受付部２１０は、制御部２１がユーザインタフェース２３と協働することによって実現される。
【００３６】
また、目標情報受付部２１０は、ユーザを識別するためのユーザ情報を取得するユーザ情報取得部としての機能も備える。このユーザ情報は、取得された目標情報がどのユーザの目標情報であるかを識別するための、名前又はＩＤ等の識別情報である。例えば、健康管理システム１が、住宅Ｈに居住している家族又は親族等の複数のユーザを対象とする場合、各ユーザは、例えば名前又はＩＤ等、自身を識別するためのユーザ情報と共に、自身の目標情報を端末装置２００に入力する。これにより、目標情報受付部２１０は、目標情報を入力したユーザを識別するためのユーザ情報を取得する。或いは、例えば端末装置２００が特定のユーザ専用のものである場合、そのユーザを表すユーザ情報が端末装置２００内に予め記憶されていても良い。
【００３７】
目標情報出力部２２０は、目標情報受付部２１０によってユーザの健康管理の目標を表す目標情報の入力が受け付けられると、入力が受け付けられた目標情報を、通信部２４及び無線ＬＡＮ等を介して健康管理装置１００に出力する。このとき、目標情報出力部２２０は、目標情報に関連付けて、ユーザを識別するためのユーザ情報を健康管理装置１００に出力する。目標情報出力部２２０は、制御部２１が通信部２４と協働することによって実現される。
【００３８】
測定機器３００は、図６に示すように、機能的に、ユーザの身体情報を測定する身体情報測定部３１０と、健康管理装置１００へ身体情報を出力する身体情報出力部３２０と、健康管理装置１００から提示情報を取得する提示情報取得部３４０と、提示情報を提示する提示部３５０と、を備える。
【００３９】
身体情報測定部３１０は、測定部３５によってユーザの身体情報を測定する。身体情報とは、上述したように、体重、体脂肪率又は筋肉量等の身体的特性に関する特性情報、及び、身体活動量、消費カロリー、血圧又は心拍数等の生体に関する生体情報等のような、ユーザの身体に関する情報である。ユーザの身体情報を測定することは、例えば測定機器３００が体重計又は体組成計であれば、測定機器３００に乗ったユーザの体重又は体脂肪率等を検出することに相当し、測定機器３００が活動量計又は歩数計であれば、測定機器３００を装着しているユーザの動作又は歩数を検出し、検出した動作又は歩数から消費カロリーを算出することに相当する。このように、身体情報測定部３１０は、制御部３１が測定部３５と協働することによって実現される。
【００４０】
また、身体情報測定部３１０は、ユーザを識別することによってユーザ情報を取得するユーザ情報取得部としての機能も備える。このユーザ情報は、取得された身体情報がどのユーザの目標情報であるかを識別するための、名前又はＩＤ等の識別情報である。例えば、ユーザインタフェース３３の一部に設けられた複数のボタン（例えば押しボタン又はＧＵＩ（Graphical User Interface）ボタン等）のそれぞれに異なるユーザが対応付けられており、各ユーザが測定機器３００を使用する際に自身に対応するボタンを押下する。これにより、身体情報測定部３１０は、測定機器３００を使用しているユーザを識別するためのユーザ情報を取得する。或いは、例えば測定機器３００がウェアラブル機器である場合のように、特定のユーザ専用のものである場合、そのユーザを表すユーザ情報が測定機器３００内に予め記憶されていても良い。
【００４１】
身体情報出力部３２０は、身体情報測定部３１０によってユーザの身体情報が測定されると、測定された身体情報を、通信部３４及び宅内ネットワークＮ１を介して健康管理装置１００に出力する。このとき、身体情報出力部３２０は、身体情報に関連付けて、ユーザを識別するためのユーザ情報と、自機を識別するための機器ＩＤとを健康管理装置１００に出力する。身体情報出力部３２０は、制御部３１が通信部３４と協働することによって実現される。
【００４２】
宅内機器４００は、図６に示すように、機能的に、ユーザ情報を取得するユーザ情報取得部４１０と、健康管理装置１００へ機器情報を出力する機器情報出力部４２０と、健康管理装置１００から提示情報を取得する提示情報取得部４４０と、提示情報を提示する提示部４５０と、を備える。
【００４３】
ユーザ情報取得部４１０は、宅内機器４００を使用しているユーザを識別するためのユーザ情報を取得する。ユーザ情報は、名前又はＩＤ等、他のユーザと識別するためのユーザ特有の情報である。例えば、ユーザインタフェース４３の一部に設けられた複数のボタン（例えば押しボタン又はＧＵＩボタン等）のそれぞれに異なるユーザが対応付けられており、各ユーザが宅内機器４００を使用する際に自身に対応するボタンを押下する。これにより、ユーザ情報取得部４１０は、宅内機器４００を使用しているユーザを識別するためのユーザ情報を取得する。或いは、ユーザ情報取得部４１０は、顔認証又は指紋認証等によってユーザを識別して、ユーザ情報を取得してもよい。ユーザ情報取得部４１０は、制御部４１がユーザインタフェース４３と協働することによって実現される。
【００４４】
機器情報出力部４２０は、宅内機器４００の使用が開始された場合に、規定の通知情報を健康管理装置１００に出力する通知情報出力部として機能する。ここで、宅内機器４００の使用が開始されるとは、宅内機器４００の主要動作部４５の動作が開始することを意味する。例えば宅内機器４００が炊飯器である場合、炊飯動作を開始させるためにユーザがスイッチを操作することで、或いは、ユーザが炊飯器の蓋を開けることで、宅内機器４００の使用が開始される。また、宅内機器４００が給湯リモコンである場合、沸上げ運転の開始又は設定温度の変更等のためにユーザが給湯リモコンを操作することで、宅内機器４００の使用が開始される。さらに、宅内機器４００が掃除機である場合、掃除を開始するためにユーザが掃除機の動作スイッチを入れることで、宅内機器４００の使用が開始される。機器情報出力部４２０は、このようにして宅内機器４００の使用が開始された場合に、宅内機器４００の使用が開始されたことを健康管理装置１００に通知するための、宅内機器４００と健康管理装置１００との間で予め規定された通知情報を、通信部４４及び宅内ネットワークＮ１を介して健康管理装置１００に出力する。機器情報出力部４２０は、制御部４１が通信部４４と協働することによって実現される。
【００４５】
具体的に説明すると、機器情報出力部４２０は、宅内機器４００の使用が開始された場合に、規定の通知情報として、この宅内機器４００の機種を表す機器情報を、通信部３４及び宅内ネットワークＮ１を介して健康管理装置１００に出力する。このとき、機器情報出力部４２０は、自機を識別するための機器ＩＤも健康管理装置１００に出力する。ここで、宅内機器４００の機種とは、例えば炊飯器、給湯リモコン、掃除機等のような機器の種別を意味する。機器情報出力部４２０は、例えば宅内機器４００が炊飯器である場合、炊飯器を表す機器情報を健康管理装置１００に出力し、宅内機器４００が給湯リモコンである場合、給湯リモコンを表す機器情報を健康管理装置１００に出力し、宅内機器４００が掃除機である場合、掃除機を表す機器情報を健康管理装置１００に出力する。
【００４６】
機器情報出力部４２０は、機器情報に関連付けて、ユーザを識別するためのユーザ情報を健康管理装置１００に出力する。
【００４７】
健康管理装置１００は、図７に示すように、機能的に、端末装置２００から出力された目標情報を取得する目標情報取得部１２０と、測定機器３００から出力された身体情報を取得する身体情報取得部１３０と、宅内機器４００から機器情報を取得する機器情報取得部１５０と、取得された各情報を記憶する情報記憶部１６０と、取得された各情報に基づいて健康管理計画を生成する健康管理計画生成部１７０と、健康管理計画に基づいて提示情報を生成する提示情報生成部１８０と、各装置及び各機器に提示情報を出力する提示情報出力部１９０と、を備える。
【００４８】
目標情報取得部１２０は、端末装置２００から出力された目標情報及びユーザ情報を、端末通信部１４を介して取得する。目標情報取得部１２０は、取得した目標情報を、取得したユーザ情報に関連付けて情報記憶部１６０に記憶する。目標情報取得部１２０は、制御部１１が端末通信部１４と協働することによって実現される。
【００４９】
身体情報取得部１３０は、測定機器３００から出力された身体情報及びユーザ情報を、機器通信部１５を介して取得する。身体情報取得部１３０は、取得した身体情報を、取得したユーザ情報に関連付けて情報記憶部１６０に記憶する。身体情報取得部１３０は、制御部１１が機器通信部１５と協働することによって実現される。
【００５０】
機器情報取得部１５０は、宅内機器４００から出力された規定の通知情報を取得する通知情報取得部として機能する。具体的に説明すると、機器情報取得部１５０は、規定の通知情報として、宅内機器４００から出力された、この宅内機器４００の機種を表す機器情報とユーザ情報とを機器通信部１５を介して取得する。機器情報取得部１５０は、取得した機器情報によって表される機種とユーザ情報とを提示情報生成部１８０へ通知する。また、機器情報取得部１５０は、機器情報によって表される機種を、情報記憶部１６０に記憶する。機器情報取得部１５０は、制御部１１が機器通信部１５と協働することによって実現される。
【００５１】
情報記憶部１６０は、例えば記憶部１２内の記憶領域に構築されており、端末装置２００、測定機器３００及び宅内機器４００から取得された各情報を記憶する。情報記憶部１６０は、管理テーブル１６１と、健康管理計画１６２と、アドバイスデータ１６３と、を記憶している。
【００５２】
管理テーブル１６１は、図８に示すように、目標情報取得部１２０によって取得された目標情報と、身体情報取得部１３０によって取得された身体情報とをユーザ毎に格納したパラメータテーブルである。図８の例では、「Ａさん」、「Ｂさん」、「Ｃさん」等のユーザのそれぞれについて、目標体重、目標体脂肪率及び目標達成期間等の目標情報と、体重及び体脂肪率等の現在の身体情報とが、管理テーブル１６１に格納されている。このような管理テーブル１６１は、目標情報取得部１２０によって目標情報が取得される毎に、又は、身体情報取得部１３０によって身体情報が取得される毎に、更新される。
【００５３】
健康管理計画生成部１７０は、目標情報取得部１２０によって取得された目標情報と身体情報取得部１３０によって取得された身体情報とに基づいて、健康管理の目標をユーザが達成するための健康管理計画１６２を生成する。健康管理計画１６２は、目標の達成に向けてユーザが実行すべき行動を表した計画である。健康管理計画生成部１７０は、管理テーブル１６１にユーザ毎に格納された目標情報と身体情報とを参照して、ユーザ毎に健康管理計画１６２を生成する。健康管理計画生成部１７０は、制御部１１が記憶部１２と協働することによって実現される。
【００５４】
健康管理計画１６２は、図９に示すように、ユーザが摂取及び消費すべきカロリー計画、ユーザが実践すべき運動メニュー、及び、ユーザが摂取すべき食事の献立等を含む。健康管理計画生成部１７０は、管理テーブル１６１に格納された目標情報と現在の身体情報とを比較することにより、ユーザが目標を達成するために必要となる１日当たりの消費カロリー及び推奨摂取カロリー等を算出し、図９に示すように算出したカロリーと実践期間との関係を示すグラフを生成する。また、健康管理計画生成部１７０は、測定機器３００によって測定されたユーザの身体情報を毎日取得し、実践期間における実際の消費カロリーを毎日算出して、その日の目標消費カロリーに対する実際の消費カロリーの過不足を算出する。健康管理計画生成部１７０は、このように生成した健康管理計画１６２をユーザ毎に情報記憶部１６０に記憶する。
なお、健康管理計画１６２は、図９に示した例に限らず、測定機器３００によって測定されたユーザの身体情報を利用して、ユーザに自身の健康状態を把握させることのできるものであれば何でも良い。
【００５５】
提示情報生成部１８０は、情報記憶部１６０に記憶された管理テーブル１６１、健康管理計画１６２、及び、アドバイスデータ１６３に基づいて、ユーザの健康管理に関する提示情報を生成する。提示情報生成部１８０は、制御部１１が記憶部１２と協働することによって実現される。
【００５６】
具体的に説明すると、提示情報生成部１８０は、状況に応じて、宅内機器４００において提示される宅内機器４００用の提示情報（第１の提示情報）と、測定機器３００において提示される測定機器３００用の提示情報（第２の提示情報）と、端末装置２００において提示される端末装置２００用の提示情報（第３の提示情報）と、のうちのいずれかを生成する。
【００５７】
端末装置２００用の提示情報として、提示情報生成部１８０は、健康管理計画生成部１７０によって生成された健康管理計画１６２に従った、ユーザの健康管理に関する第３の提示情報を生成する。図１０に示すように、提示情報生成部１８０は、端末装置２００用の提示情報として、健康管理計画１６２において定められた目標消費カロリーと、ユーザの実際の消費カロリーと、の間に生じた過不足分を算出する。また、提示情報生成部１８０は、端末装置２００用の提示情報として、図１０に示すようにユーザに摂取カロリーを抑えるように促す等、ユーザに過不足分を補うように促すアドバイスを併せて生成する。情報記憶部１６０は、アドバイスデータ１６３の一部として、このようなアドバイスを含む様々な内容のアドバイスを予め記憶している。さらに、提示情報生成部１８０は、端末装置２００用の提示情報として、健康管理計画１６２を参照して、ユーザの身体情報の履歴情報を生成しても良い。提示情報生成部１８０は、このような端末装置２００用の提示情報を、定期的に生成する。
【００５８】
測定機器３００用の提示情報として、提示情報生成部１８０は、身体情報取得部１３０によって取得された身体情報に応じた、ユーザの健康管理に関する第２の提示情報を生成する。図１１に示すように、提示情報生成部１８０は、例えば身体情報取得部１３０によって測定機器３００Ａからユーザの現在の体重が取得されると、測定機器３００Ａ用の提示情報として、管理テーブル１６１に格納されたユーザの目標体重と、取得された現在の体重と、の差分を過不足分として算出する。また、提示情報生成部１８０は、測定機器３００Ａ用の提示情報として、体重の差分の他に、図１１に示すように、算出された差分に応じたアドバイスを併せて生成する。また、提示情報生成部１８０は、例えば身体情報取得部１３０によって測定機器３００Ｂからユーザの消費カロリーが取得されると、消費カロリーについての同様の提示情報を、測定機器３００Ｂ用の提示情報として生成する。情報記憶部１６０は、アドバイスデータ１６３の一部として、このようなアドバイスを含む、ユーザの身体情報と目標情報との差分に応じた様々な内容のアドバイスを予め記憶している。このように、提示情報生成部１８０は、身体情報取得部１３０によって測定機器３００Ａ又は測定機器３００Ｂから身体情報が取得されると、測定機器３００Ａ又は測定機器３００Ｂのうちの身体情報の出力元である測定機器３００用の提示情報を生成する。
【００５９】
宅内機器４００用の提示情報として、提示情報生成部１８０は、機器情報取得部１５０によって取得された機器情報によって表される機種、及び、ユーザの身体情報と目標情報との差異に応じた第１の提示情報を生成する。具体的に説明すると、提示情報生成部１８０は、情報記憶部１６０に記憶されたアドバイスデータ１６３を参照して、宅内機器４００用の提示情報を生成する。
【００６０】
図１２に、情報記憶部１６０に記憶されたアドバイスデータ１６３に基づいて、宅内機器４００において提示される提示情報を生成する方法を示す。アドバイスデータ１６３は、ユーザが宅内機器４００を使用する際にとるべき行動を表すアドバイスを集めたデータである。具体的には図１２に示すように、アドバイスデータ１６３は、宅内機器４００の機種毎に、及び、ユーザの身体情報と目標情報との差異（図１２の例では目標消費カロリーに対する実際の消費カロリーの過不足分）に応じて、異なる内容のアドバイスを有している。例えば、アドバイスデータ１６３は、宅内機器４００の機種が炊飯器であればユーザが一度に摂取すべき飯の量のアドバイス、及び、宅内機器４００の機種が給湯リモコンであれば効果的な入浴方法のアドバイス等を有している。すなわち、宅内機器４００が炊飯器であるか給湯リモコンであるか等に応じてユーザが実行可能なアドバイスの内容は異なるし、ユーザの現在の身体情報に応じてユーザが実行すべきアドバイスの内容は異なる。そのため、健康管理装置１００は、宅内機器４００の機種毎に、及び、ユーザの身体情報と目標情報との差異に応じて、アドバイスのひな型を予め用意しておき、これらをまとめてアドバイスデータ１６３として情報記憶部１６０に予め記憶しておく。
【００６１】
提示情報生成部１８０は、このようなアドバイスデータ１６３を参照して、取得された機器情報によって表される機種、及び、ユーザの身体情報と目標情報との差異に応じた提示情報を生成する。具体的に説明すると、提示情報生成部１８０は、機器情報取得部１５０から宅内機器４００の機種とユーザ情報とが通知されると、通知されたユーザ情報に関連付けて管理テーブル１６１に格納されている身体情報と目標情報とから、このユーザの身体情報と目標情報との差異を取得する。そして、提示情報生成部１８０は、情報記憶部１６０に記憶されたアドバイスデータ１６３を参照して、宅内機器４００の機種、及び、取得した身体情報と目標情報との差異に該当するアドバイスを選択する。例えば図１２に示すように、機器情報の出力元である宅内機器４００の機種が「炊飯器」であって、ユーザの現在の消費カロリー過不足分が「＋１５０ｋｃａｌ」であった場合、提示情報生成部１８０は、アドバイスデータ１６３の中から、機種が「炊飯器」に該当し、且つ、消費カロリー過不足分が「＋５０＜Ｘ＜＋２００」に該当するアドバイスを選択する。アドバイスを選択すると、提示情報生成部１８０は、選択したアドバイスを含み、「炊飯器」である宅内機器４００を出力先とする提示情報を生成する。このように、提示情報生成部１８０は、機器情報取得部１５０によって宅内機器４００Ａ又は宅内機器４００Ｂから機器情報が取得されると、宅内機器４００用の提示情報として、宅内機器４００Ａ又は宅内機器４００Ｂのうちの機器情報の出力元である宅内機器４００をユーザが使用する際に、ユーザがとるべき行動を表す提示情報を生成する。
【００６２】
提示情報出力部１９０は、提示情報生成部１８０によって生成された提示情報を、健康管理装置１００に接続された各装置及び各機器に出力する。提示情報出力部１９０は、制御部１１が端末通信部１４又は機器通信部１５と協働することによって実現される。
【００６３】
具体的に説明すると、提示情報出力部１９０は、端末装置２００に提示情報を出力すべきタイミングが到来すると、提示情報生成部１８０によって生成された第３の提示情報を、端末通信部１４及び無線ＬＡＮ等を介して端末装置２００に出力する。
また、提示情報出力部１９０は、測定機器３００Ａ又は測定機器３００Ｂから出力された身体情報が身体情報取得部１３０によって取得されると、提示情報生成部１８０によって生成された第２の提示情報を、機器通信部１５及び宅内ネットワークＮ１を介して、測定機器３００Ａ又は測定機器３００Ｂのうちの身体情報の出力元である測定機器３００に出力する。身体情報の出力元である測定機器３００は、身体情報と共に取得された機器ＩＤによって識別される。
さらに、提示情報出力部１９０は、宅内機器４００Ａ又は宅内機器４００Ｂから出力された機器情報が機器情報取得部１５０によって取得されると、提示情報生成部１８０によって生成された第１の提示情報を、機器通信部１５及び宅内ネットワークＮ１を介して、宅内機器４００Ａ又は宅内機器４００Ｂのうちの機器情報の出力元である宅内機器４００に出力する。機器情報の出力元である宅内機器４００は、機器情報と共に取得された機器ＩＤによって識別される。
このように、提示情報出力部１９０は、提示情報生成部１８０によって生成された提示情報に応じて提示情報を出力する装置又は機器を決定し、決定した装置又は機器に提示情報を出力する。
【００６４】
図６に示した端末装置２００、測定機器３００及び宅内機器４００の機能構成の説明に戻る。
端末装置２００は、提示情報取得部２４０と、提示部２５０と、を備える。提示情報取得部２４０は、健康管理装置１００から端末装置２００用の提示情報が出力されると、出力された提示情報を、通信部２４を介して取得する。提示情報取得部２４０は、制御部２１が通信部２４と協働することによって実現され、第３の提示情報取得部として機能する。
【００６５】
端末装置２００において、提示部２５０は、提示情報取得部２４０によって提示情報が取得されると、取得された提示情報を提示する。提示部２５０は、制御部２１がユーザインタフェース２３と協働することによって実現され、第３の提示部として機能する。提示部２５０は、例えば図１０に示した提示情報を、ユーザインタフェース２３の表示部に表示する。或いは、提示部２５０は、取得された提示情報を、スピーカを介して音声で出力してもよい。これにより、提示部２５０は、健康管理装置１００から取得された提示情報を、端末装置２００を使用しているユーザに提示する。
【００６６】
測定機器３００は、提示情報取得部３４０と、提示部３５０と、を備える。提示情報取得部３４０は、健康管理装置１００から測定機器３００用の提示情報が出力されると、出力された提示情報を、通信部３４を介して取得する。提示情報取得部３４０は、制御部３１が通信部３４と協働することによって実現され、第２の提示情報取得部として機能する。
【００６７】
測定機器３００において、提示部３５０は、提示情報取得部３４０によって提示情報が取得されると、取得された提示情報を提示する。提示部３５０は、制御部３１がユーザインタフェース３３と協働することによって実現され、第２の提示部として機能する。提示部３５０は、例えば図１１に示した提示情報を、ユーザインタフェース３３の表示部に表示する。或いは、提示部３５０は、取得された提示情報を、スピーカを介して音声で出力してもよい。これにより、提示部３５０は、健康管理装置１００から取得された提示情報を、測定機器３００を使用しているユーザに提示する。
【００６８】
宅内機器４００は、提示情報取得部４４０と、提示部４５０と、を備える。提示情報取得部４４０は、健康管理装置１００から宅内機器４００用の提示情報が出力されると、出力された提示情報を、通信部４４を介して取得する。提示情報取得部４４０は、制御部４１が通信部４４と協働することによって実現され、第１の提示情報取得部として機能する。
【００６９】
宅内機器４００において、提示部４５０は、提示情報取得部４４０によって提示情報が取得されると、取得された提示情報を提示する。提示部４５０は、制御部４１がユーザインタフェース４３と協働することによって実現され、第１の提示部として機能する。提示部４５０は、例えば図１２に示した提示情報を、ユーザインタフェース４３の表示部に表示する。或いは、提示部４５０は、取得された提示情報を、スピーカを介して音声で出力してもよい。これにより、提示部４５０は、健康管理装置１００から取得された提示情報を、宅内機器４００を使用しているユーザに提示する。
【００７０】
以上のように構成された健康管理システム１において、健康管理装置１００によって実行される処理の流れについて、図１３及び図１４に示すフローチャートを参照しながら説明する。
【００７１】
健康管理装置１００において、まず制御部１１は、初期情報を取得する（ステップＳ１０１）。初期情報とは、健康管理計画１６２を生成するために最低限必要となる、ユーザの目標情報及び身体情報である。すなわち、初期情報として、目標情報取得部１２０がユーザによって端末装置２００に入力された目標情報を取得し、身体情報取得部１３０が測定機器３００において測定されたユーザの身体情報を取得する。このように初期情報が取得されると、図１３のフローチャートに示す健康管理装置１００の処理が開始する。
【００７２】
初期情報を取得すると、制御部１１は、取得した初期情報を情報記憶部１６０に記憶する（ステップＳ１０２）。制御部１１は、初期情報として取得した目標情報及び身体情報を、例えば図８に示した管理テーブル１６１の形式で、ユーザ毎に情報記憶部１６０に記憶する。ステップＳ１０１，Ｓ１０２において、制御部１１は目標情報取得部１２０及び身体情報取得部１３０として機能する。
【００７３】
初期情報を取得及び記憶すると、制御部１１は、情報記憶部１６０に記憶された初期情報に基づいて、ユーザが実行すべき行動を表した健康管理計画１６２を生成する（ステップＳ１０３）。具体的に説明すると、制御部１１は、管理テーブル１６１に格納された目標情報と現在の身体情報とを比較することにより、ユーザが目標を達成するために必要となる１日当たりの消費カロリー及び推奨摂取カロリー等を算出し、図９に示した健康管理計画１６２を生成する。健康管理計画１６２を生成すると、制御部１１は、生成した健康管理計画１６２を情報記憶部１６０に記憶する（ステップＳ１０４）。ステップＳ１０３，Ｓ１０４において、制御部１１は健康管理計画生成部１７０として機能する。
【００７４】
健康管理計画１６２を生成及び記憶すると、制御部１１は、情報記憶部１６０に記憶された管理テーブル１６１と健康管理計画１６２とを参照して、ユーザの健康管理に関する提示情報を生成する（ステップＳ１０５）。具体的に説明すると、制御部１１は、例えば図１０に示したように、目標消費カロリーに対する実際の消費カロリーの過不足分とその過不足分に対応するアドバイスとを含む、端末装置２００用の提示情報を生成する。提示情報を生成すると、制御部１１は、生成した提示情報を端末装置２００に出力する（ステップＳ１０６）。健康管理装置１００から提示情報が出力されると、端末装置２００では、提示情報取得部２４０が提示情報を取得し、提示部２５０が提示情報をユーザに提示する。なお、制御部１１は、ステップＳ１０５において提示情報生成部１８０として機能し、ステップＳ１０６において提示情報出力部１９０として機能する。
【００７５】
提示情報を端末装置２００に出力すると、制御部１１は、端末装置２００から新たに目標情報を取得したか否かを判定する（ステップＳ１０７）。端末装置２００から新たに目標情報を取得した場合（ステップＳ１０７；ＹＥＳ）、目標情報取得部１２０は、新たに取得した目標情報を、共に取得したユーザ情報と関連付けて情報記憶部１６０に記憶する（ステップＳ１０８）。これにより、新たな目標情報によって管理テーブル１６１が更新される。ステップＳ１０７，Ｓ１０８において、制御部１１は目標情報取得部１２０として機能する。
【００７６】
新たな目標情報によって管理テーブル１６１を更新すると、制御部１１は、処理をステップＳ１０３へと戻し、新たに健康管理計画１６２を生成する。すなわち、目標情報が変更されたため、制御部１１は、変更後の目標情報の達成に向けて、健康管理計画１６２を修正する。そして、制御部１１は、修正された健康管理計画１６２に基づいて新たに提示情報を生成し、端末装置２００に出力する。
【００７７】
ステップＳ１０７において、端末装置２００から新たに目標情報を取得していない場合（ステップＳ１０７；ＮＯ）、図１４に示すフローチャートに移って、制御部１１は、測定機器３００Ａ又は測定機器３００Ｂのいずれかから新たに身体情報を取得したか否かを判定する（ステップＳ１０９）。測定機器３００Ａ又は測定機器３００Ｂのいずれかから新たに身体情報を取得した場合（ステップＳ１０９；ＹＥＳ）、身体情報取得部１３０は、新たに取得した身体情報を、共に取得したユーザ情報と関連付けて情報記憶部１６０に記憶する（ステップＳ１１０）。これにより、新たな身体情報によって管理テーブル１６１が更新される。ステップＳ１０９，Ｓ１１０において、制御部１１は身体情報取得部１３０として機能する。
【００７８】
身体情報を取得及び記憶すると、制御部１１は、情報記憶部１６０に記憶された管理テーブル１６１と健康管理計画１６２とを参照して、測定機器３００Ａ又は測定機器３００Ｂのうちの身体情報の出力元である測定機器３００に出力するための提示情報を生成する（ステップＳ１１１）。具体的に説明すると、制御部１１は、例えば図１１に示したように、ステップＳ１１０において記憶された身体情報とステップＳ１０８において記憶された目標情報との差分とその差分に対応するアドバイスとを含む提示情報を生成する。提示情報を生成すると、制御部１１は、生成した提示情報を、出力先の測定機器３００に出力する（ステップＳ１１２）。健康管理装置１００から提示情報が出力されると、測定機器３００では、提示情報取得部３４０が提示情報を取得し、提示部３５０が提示情報をユーザに提示する。なお、制御部１１は、ステップＳ１１１において提示情報生成部１８０として機能し、ステップＳ１１２において提示情報出力部１９０として機能する。
【００７９】
ステップＳ１０９において、測定機器３００から新たに身体情報を取得していない場合（ステップＳ１０９；ＮＯ）、制御部１１は、宅内機器４００Ａ又は宅内機器４００Ｂのいずれかから新たに機器情報を取得したかを判定する（ステップＳ１１３）。宅内機器４００Ａ又は宅内機器４００Ｂのいずれかから新たに機器情報を取得した場合（ステップＳ１１３；ＹＥＳ）、制御部１１は、新たに取得した機器情報を、共に取得したユーザ情報と併せて提示情報生成部１８０に通知する（ステップＳ１１４）。ステップＳ１１３，Ｓ１１４において、制御部１１は機器情報取得部１５０として機能する。
【００８０】
新たに取得した機器情報を提示情報生成部１８０に通知すると、制御部１１は、宅内機器４００Ａ又は宅内機器４００Ｂのうちの機器情報の出力元である宅内機器４００に出力するための提示情報を生成する（ステップＳ１１５）。具体的に説明すると、制御部１１は、例えば図１２に示したように、情報記憶部１６０に記憶されたアドバイスデータ１６３を参照して、宅内機器４００の機種、及び、取得した身体情報と目標情報との差異に該当するアドバイスを含む提示情報を生成する。提示情報を生成すると、提示情報出力部１９０は、生成した提示情報を宅内機器３００に出力する（ステップＳ１１６）。健康管理装置１００から提示情報が出力されると、宅内機器４００では、提示情報取得部４４０が提示情報を取得し、提示部４５０が提示情報をユーザに提示する。なお、制御部１１は、ステップＳ１１５において提示情報生成部１８０として機能し、ステップＳ１１６において提示情報出力部１９０として機能する。
【００８１】
ステップＳ１１２において提示情報を測定機器３００に出力すると、及び、ステップＳ１１６において提示情報を宅内機器４００に出力すると、制御部１１は、処理をステップＳ１０５に戻す。すなわち、制御部１１は、新たに取得した身体情報又は機器情報に基づいて、端末装置２００用の提示情報を改めて生成し、端末装置２００に出力する。
また、ステップＳ１１３において、宅内機器４００から新たに機器情報を取得していない場合（ステップＳ１１３；ＮＯ）、すなわち目標情報も身体情報も機器情報も取得していない場合、制御部１１は、処理をステップＳ１０５に戻す。このように、制御部１１は、情報記憶部１６０に記憶されている情報に変化がなくても、例えば定期的に到来する端末装置２００に提示情報を出力すべきタイミングになると、端末装置２００用の提示情報を生成し、端末装置２００に出力する。
【００８２】
このように、健康管理装置１００は、端末装置２００、測定機器３００及び宅内機器４００のそれぞれから各種情報を取得し、取得した各種情報に基づいて、随時、端末装置２００、測定機器３００及び宅内機器４００のそれぞれに、提示情報を出力する処理を繰り返す。
【００８３】
以上説明したように、実施の形態１に係る健康管理システム１において、健康管理装置１００は、宅内に設置された宅内機器４００の使用がユーザにより開始された場合に宅内機器４００から規定の通知情報を取得し、この宅内機器４００を使用しているユーザの健康管理に関する提示情報を宅内機器４００に出力する。そして、宅内機器４００は、健康管理装置１００から出力された提示情報を提示する。これにより、ユーザが宅内機器４００を使用するタイミングで、健康管理に関する情報をユーザに直接提示できる。そのため、在宅中のユーザは、端末装置２００をその都度確認するという手間をかけなくても、健康管理に関する情報を受けることが可能である。
【００８４】
より詳細に説明すると、健康管理装置１００は、家事の合間又は入浴中等、ユーザが端末装置２００を確認することが難しい場面でも、健康管理に関する情報をユーザに提示できるため、ユーザは日頃から継続的に健康管理に関する情報を確認することができる。そのため、健康管理の効果を上げることに役立つ。また、家事の合間又は入浴中等、ユーザが端末装置２００を確認することが難しい場面で実行することで効果が上がるアドバイスをユーザに提示することができる。
【００８５】
さらに、健康管理装置１００は、規定の通知情報として、宅内機器４００の機種を表す機器情報を取得し、機種毎に予め用意されたアドバイスデータ１６３を参照して、宅内機器４００の機種に応じた提示情報を宅内機器４００に出力する。これにより、宅内機器４００の基本機能に見合ったアドバイスを、ユーザに提示することができる。そのため、ユーザは、健康管理装置１００を操作しなくても、ユーザの在宅時の行動に応じて、場面に合わせたアドバイスを受けることが可能である。
【００８６】
さらに、健康管理装置１００は、測定機器３００からユーザの身体情報を取得し、ユーザの身体情報と目標情報との差異に応じて予め用意されたアドバイスデータ１６３を参照して、身体情報と目標情報との差異に応じた提示情報を宅内機器４００に出力する。これにより、ユーザが宅内機器４００を利用して実行できるアドバイスをより細かく規定することができる。そのため、ユーザは、自身の身体情報に合わせたアドバイスを受けることができる。
【００８７】
さらに、健康管理装置１００は、端末装置２００から目標情報を取得し、取得した目標情報とユーザの現在の身体情報とに応じた健康管理計画１６２を生成し、生成した健康管理計画１６２に従った提示情報を宅内機器４００に出力する。これにより、ユーザが目標を達成するために必要な提示情報をユーザに提示することができる。そのため、ユーザは、自身の目標に合わせたアドバイスを受けることが可能である。
【００８８】
さらに、健康管理装置１００は、健康管理装置１００に接続された各装置及び各機器からユーザを識別するためのユーザ情報を取得する。これにより、ユーザ毎に管理テーブル１６１及び健康管理計画１６２を生成することができる。すなわち、住宅Ｈに居住している例えば家族又は親族等のような複数のユーザ間で、宅内機器４００が共用されている場合等であっても、各ユーザは、個人に合わせたアドバイスを受けることができる。
【００８９】
なお、上述した実施の形態１では、宅内機器４００は、宅内機器４００の使用が開始された場合に、規定の通知情報として、この宅内機器４００の機種を表す機器情報を健康管理装置１００に出力した。しかしながら、宅内機器４００は、規定の通知情報として、宅内機器４００の機種を表す機器情報以外の情報を健康管理装置１００に出力してもよい。
例えば、宅内機器４００において、通知情報出力部は、宅内機器４００の使用が開始された場合に、規定の通知情報として、この宅内機器４００の動作状態を表す状態情報を健康管理装置１００に出力しても良い。この場合、健康管理装置１００は、通知情報取得部によって状態情報を取得すると、取得した状態情報によって表される宅内機器４００の動作状態の変化から、ユーザが宅内機器４００の使用を開始したタイミングを判定し、提示情報を宅内機器４００に出力する。
また、宅内機器４００において、ユーザ情報取得部４１０によって取得されたユーザ情報を健康管理装置１００に出力する場合、通知情報出力部は、このユーザ情報を、規定の通知情報として出力しても良い。この場合、健康管理装置１００は、通知情報取得部によってユーザ情報を取得することで、ユーザが宅内機器４００の使用を開始したと判定し、提示情報を宅内機器４００に出力する。また、健康管理装置１００は、宅内機器４００から機器ＩＤを取得することで、ユーザが宅内機器４００の使用を開始したと判定し、提示情報を宅内機器４００に出力しても良い。
【００９０】
また、上述した実施の形態１では、健康管理計画生成部１７０は、ユーザ毎に健康管理計画を生成したが、さらに宅内機器４００の機種毎に健康管理計画１６２を生成しても良い。この場合、健康管理計画生成部１７０は、情報記憶部１６０に記憶された機種を参照して、記憶された機種のそれぞれについて、その機種の宅内機器４００を使用してユーザが実行すべき行動を表した計画を生成する。このように、機種の特性に応じて健康管理計画１６２を生成することで、ユーザに対してより的確なアドバイスを提示することができる。
【００９１】
（実施の形態２）
次に、本発明の実施の形態２について説明する。実施の形態２に係る健康管理システム１に関して、実施の形態１と共通の構成、機能及び動作例については説明を省略し、主として実施の形態１との差異を説明する。また、実施の形態１における構成と共通又は相当する構成については同一符号を付す。
【００９２】
上述した実施の形態１では、宅内機器４００は、健康管理装置１００から取得した提示情報をそのままユーザに対して提示するものであった。これに対して、実施の形態２では、宅内機器は、自機に備えられた機能を利用して、健康管理装置１００から取得した提示情報に変更を加えてからユーザに提示する。なお、実施の形態２において、健康管理装置１００、端末装置２００及び測定機器３００の構成、機能及び動作例については、実施の形態１において説明した構成、機能及び動作例と同様である。
【００９３】
図１５は、実施の形態２に係る宅内機器４０１の構成を示す図である。宅内機器４０１は、一例として、炊飯器である。宅内機器４０１は、健康管理装置１００から取得した提示情報に基づいて、ユーザが一食当たりに摂取すべき飯の量を算出する。そして、算出した飯の量とユーザが実際に茶碗に盛った飯の量との間に過不足が生じた場合に、宅内機器４０１は、ユーザに対してその旨を提示し、飯の量を調整するように促す。
【００９４】
図１５に示すように、宅内機器４０１は、機能的に、ユーザ情報を取得するユーザ情報取得部４１０と、健康管理装置１００へ機器情報を出力する機器情報出力部４２０と、健康管理装置１００から提示情報を取得する提示情報取得部４４０と、提示情報を提示する提示部４５０と、炊飯器内の飯の重量を計測する重量計測部４６０と、ユーザが摂取すべき飯の量に対する炊飯器内から取り出された飯の量の過不足分を算出する算出部４７０と、算出結果に基づいて提示情報を変更する提示情報変更部４８０と、を備える。
【００９５】
ユーザ情報取得部４１０は、宅内機器４０１の使用が開始された場合に、ユーザを識別するためのユーザ情報を取得する。機器情報出力部４２０は、宅内機器４０１の機種を表す機器情報と、ユーザ情報取得部４１０によって取得されたユーザ情報とを、健康管理装置１００に出力する。ユーザ情報取得部４１０及び機器情報出力部４２０の機能は、実施の形態１における宅内機器４００が備えていたものと同様である。
【００９６】
提示情報取得部４４０は、機器情報出力部４２０によって出力された機器情報に対する応答として健康管理装置１００から出力された、ユーザの健康管理に関する提示情報を取得する。このとき、提示情報取得部４４０は、図１２に示した宅内機器用の提示情報に加えて、ユーザが一食当たりに摂取すべきカロリーを表す提示情報を、健康管理装置１００から取得する。
【００９７】
より詳細に説明すると、実施の形態１において説明したように、健康管理装置１００において、機器情報取得部１５０が宅内機器４０１から機器情報を取得すると、提示情報生成部１８０は、情報記憶部１６０に記憶されたアドバイスデータ１６３を参照して、提示情報を生成する。このとき、提示情報生成部１８０は、目標消費カロリーに対する実際の消費カロリーの過不足分に基づいて、ユーザが一食当たりに摂取すべきカロリーを算出し、算出したカロリーを含む提示情報を生成する。提示情報出力部１９０は、このように生成された提示情報を、機器情報を出力元である宅内機器４０１に出力する。
【００９８】
重量計測部４６０は、宅内機器４０１内に収容された収容物のうちの、ユーザによって宅内機器４０１から取り出された収容物の量を計測する。宅内機器４０１内に収容された収容物とは、具体的には炊飯器内の飯に相当する。重量計測部４６０は、主要動作部４５に備えられた重量計によって、炊飯器内の飯の重量を計測する。具体的に説明すると、重量計測部４６０は、ユーザによって炊飯器内の飯が取り出される前後の飯の重量を計測し、その差分から、飯の減少量、すなわち炊飯器内から取り出された飯の量を計測する。これにより、重量計測部４６０は、ユーザが実際に茶碗に盛って摂取しようとしていることが推定される飯の量を計測する。このように、重量計測部４６０は、制御部４１が主要動作部４５と協働することによって実現される。
【００９９】
算出部４７０は、ユーザが摂取すべき飯の量に対する、炊飯器内から取り出された飯の量の過不足分を算出する。具体的に説明すると、算出部４７０は、提示情報取得部４４０によって健康管理装置１００から取得された提示情報によって表される、ユーザが一食当たりに摂取すべきカロリーを、飯の量に換算する。そして、算出部４７０は、換算した飯の量と、重量計測部４６０によって計測された炊飯器内の飯の減少量と、を比較して、その差分を過不足分として算出する。
【０１００】
例えば図１６に示すように、ユーザが一日に摂取すべきカロリーから換算した飯の量が「２５０ｇ」であり、且つ、重量計測部４６０によって計測された炊飯器内の飯の減少量が「３７０ｇ」であった場合、算出部４７０は、ユーザが摂取すべき飯の量に対する、炊飯器内から取り出された飯の量の過不足分を「＋１２０ｇ」と算出する。このように、算出部４７０は、ユーザが実際に茶碗に盛って摂取しようとしていることが推定される飯の量の、ユーザが一食当たりに摂取すべき飯の量に対する過不足分を算出する。算出部４７０は、制御部４１によって実現される。
【０１０１】
提示情報変更部４８０は、提示情報取得部４４０によって健康管理装置１００から取得された提示情報を、ユーザによる宅内機器４０１の使用状況に応じて変更する。ユーザによる宅内機器４０１の使用状況は、具体的にはユーザによって宅内機器４０１から取り出された収容物である飯の量によって表される。すなわち、提示情報変更部４８０は、ユーザによって宅内機器４０１から取り出された飯の量に応じて、提示情報を変更する。提示情報変更部４８０は、制御部４１によって実現される。
【０１０２】
具体的に説明すると、算出部４７０による算出の結果、ユーザが摂取すべき飯の量に対して炊飯器内から取り出された飯の量が多い場合、提示情報変更部４８０は、健康管理装置１００から取得された提示情報を、図１７に示す提示情報に変更する。この提示情報は、ユーザに対して飯の量を減らすように促すアドバイスと、算出部４７０によって算出された飯の量の過不足分とを含む。これに対して、ユーザが摂取すべき飯の量に対して炊飯器内から取り出された飯の量が少ない場合、提示情報変更部４８０は、健康管理装置１００から取得された提示情報を、ユーザに対して飯の量を増やすように促すアドバイスを含む提示情報に変更する。このように、提示情報変更部４８０は、算出部４７０によって算出された飯の量の過不足分に基づいて、ユーザに対して飯の量を調整するように促すアドバイスを含む提示情報を生成する。
【０１０３】
提示部４５０は、提示情報変更部４８０によって変更された提示情報を提示する。提示部４５０は、例えば図１７に示したような提示情報を、ユーザインタフェース４３の表示部に表示する。或いは、提示部４５０は、取得された提示情報を、スピーカを介して音声で出力してもよい。これにより、提示部４５０は、宅内機器４０１を使用しているユーザに、使用状況に見合った提示情報を提示することができる。
【０１０４】
以上のように構成された宅内機器４０１によって実行される処理の流れについて、図１８に示すフローチャートを参照しながら説明する。
【０１０５】
宅内機器４０１において、制御部４１は、まず、宅内機器４０１の使用が開始されたか否かを判定する（ステップＳ２０１）。具体的に説明すると、制御部４１は、炊飯器である宅内機器４０１の蓋が開かれた場合に、宅内機器４０１の使用が開始されたと判定する。宅内機器４０１の使用が開始されていない場合（ステップＳ２０１；ＮＯ）、制御部４１は、ステップＳ２０１に留まり、宅内機器４０１の使用が開始されるまで待機する。
【０１０６】
宅内機器４０１の使用が開始されると（ステップＳ２０１；ＹＥＳ）、制御部４１は、ユーザ情報を取得する（ステップＳ２０２）。例えばユーザは、宅内機器４０１を使用する際に、ユーザインタフェース４３の一部に設けられた複数のボタンのうちの自身に対応するボタンを押下する。これにより、制御部４１は、宅内機器４０１を使用しているユーザを識別するためのユーザ情報を取得する。或いは、ユーザ情報取得部４１０は、顔認証又は指紋認証等によってユーザを識別して、ユーザ情報を取得してもよい。ステップＳ２０２において、制御部４１は、ユーザ情報取得部４１０として機能する。
【０１０７】
ユーザ情報を取得すると、制御部４１は、宅内機器４０１の機種を表す機器情報及び取得したユーザ情報を、通信部４４及び宅内ネットワークＮ１を介して健康管理装置１００に出力する（ステップＳ２０３）。ステップＳ２０３において、制御部４１は、機器情報出力部４２０として機能する。
【０１０８】
機器情報及びユーザ情報を出力すると、制御部４１は、出力した機器情報に対する応答として、健康管理装置１００から提示情報を取得したか否かを判定する（ステップＳ２０４）。この提示情報には、ユーザが一食当たりに摂取すべきカロリーの情報が含まれている。健康管理装置１００から提示情報を取得していない場合（ステップＳ２０４；ＮＯ）、制御部４１は、ステップＳ２０４に留まり、健康管理装置１００から提示情報を取得するまで待機する。ステップＳ２０４において、制御部４１は、提示情報取得部４４０として機能する。
【０１０９】
健康管理装置１００から提示情報を取得すると（ステップＳ２０４；ＹＥＳ）、制御部４１は、宅内機器４０１内の飯の減少量を計測する（ステップＳ２０５）。具体的に説明すると、制御部４１は、ユーザによって炊飯器内の飯が取り出される前後の飯の重量を計測し、その差分から飯の減少量を計測する。これにより、制御部４１は、炊飯器内の重量の減少分を、ユーザが実際に茶碗に盛った飯の量として計測する。ステップＳ２０５において、制御部４１は、重量計測部４６０として機能する。
【０１１０】
飯の減少量を計測すると、制御部４１は、ユーザが摂取すべき飯の量に対する、炊飯器内から取り出された飯の量の過不足分を算出する（ステップＳ２０６）。具体的に説明すると、制御部４１は、ステップＳ２０４において健康管理装置１００から取得した提示情報によって表される、ユーザが一食当たりに摂取すべきカロリーを、飯の量に換算する。そして、制御部４１は、換算した飯の量と、ステップＳ２０５において計測した炊飯器内の飯の減少量と、を比較して、その差分を過不足分として算出する。ステップＳ２０６において、制御部４１は、算出部４７０として機能する。
【０１１１】
飯の量の過不足分を算出すると、制御部４１は、提示情報を変更する（ステップＳ２０７）。具体的に説明すると、制御部４１は、算出した飯の量の過不足分に基づいて、ステップＳ２０４において健康管理装置１００から取得した提示情報を、ユーザに対して飯の量を調整するように促すアドバイスを含む提示情報に変更する。ステップＳ２０７において、制御部４１は、提示情報変更部４８０として機能する。
【０１１２】
提示情報を変更すると、制御部４１は、変更した提示情報を提示する（ステップＳ２０８）。具体的に説明すると、制御部４１は、例えば図１７に示した提示情報を、表示部に表示することによって、ユーザに提示する。ステップＳ２０８において、制御部４１は、提示部４５０として機能する。
【０１１３】
以上説明したように、実施の形態２における宅内機器４０１は、健康管理装置１００から取得した提示情報を、ユーザによる宅内機器４０１の使用状況に応じて変更して提示する。これにより、宅内機器４０１に備わった機能の特性を活かしたアドバイスをユーザに提示することができ、ユーザは、端末装置２００だけでは得られないアドバイスを受けることが可能である。
【０１１４】
なお、上述した実施の形態２において、炊飯器である宅内機器４０１を使用して飯をよそっているユーザと、その飯を実際に摂取するユーザとが、異なることも考えられる。そのため、ユーザ情報取得部４１０は、カメラによって茶碗を撮影し、茶碗の撮影画像を画像認識してその茶碗のユーザを識別することで、ユーザ情報を取得してもよい。また、ユーザ情報を格納したタグが茶碗に付されており、ユーザ情報取得部４１０は、読取装置によってタグを読み取ることで、ユーザ情報を取得してもよい。
【０１１５】
また、上述した実施の形態２では、宅内機器４０１は炊飯器である場合を例にとって説明した。しかしながら、宅内機器４０１は、炊飯器以外の電気機器であっても良い。
例えば、宅内機器４０１が冷蔵庫であっても良い。この場合、宅内機器４０１は、ユーザによる宅内機器４０１の使用状況を表す情報として、冷蔵庫に収容された収容物である食品のうちの、ユーザによって冷蔵庫から取り出された食品の情報を取得する。そして、提示情報変更部４８０は、健康管理装置１００から取得された提示情報を、冷蔵庫から取り出された食品の種類に応じて変更する。例えば、現在の体重が目標体重よりも高いにも拘わらず、冷蔵庫から取り出された食品がアイスクリーム又はケーキ等の高カロリーの食品であった場合、提示情報変更部４８０は、警告を表す提示情報を生成し、提示部４５０は、生成された提示情報をユーザに提示する。冷蔵庫から取り出された食品の種類の判別は、例えば冷蔵庫内をカメラで撮影すること又は食品に付されたタグを読取装置で読み取ること等によって、可能である。
また、宅内機器４０１が電子レンジ、オーブン又はＩＨ調理器等の、ユーザが摂取しようとしている食品を扱う電気機器であっても良い。この場合にも、宅内機器４０１が冷蔵庫である場合と同様に考えることができる。例えば、現在の体重が目標体重よりも高いにも拘わらず、電子レンジ、オーブン又はＩＨ調理器等で高カロリーの食品が調理されている場合、提示情報変更部４８０は、警告を表す提示情報を生成し、提示部４５０は、生成された提示情報をユーザに提示する。
【０１１６】
また、宅内機器４０１が掃除機であっても良い。この場合、宅内機器４０１は、ユーザによる宅内機器４０１の使用状況を表す情報として、掃除機である自機の移動量を計測し、提示情報変更部４８０は、健康管理装置１００から取得された提示情報を、計測された移動量に応じて変更する。具体的に説明すると、提示情報取得部４４０は、ユーザが消費すべき推奨消費カロリーを表す提示情報を健康管理装置１００から取得する。算出部４７０は、計測された移動量をユーザの消費カロリーに換算し、換算したカロリーの推奨消費カロリーに対する過不足分を算出する。そして、提示情報変更部４８０は、算出された過不足分に応じて、掃除機をもっと移動させるべきか否かを表す提示情報を生成し、提示部４５０は、生成された提示情報をユーザに提示する。
さらに、宅内機器４０１が給湯リモコンであっても良い。この場合、宅内機器４０１は、ユーザによる宅内機器４０１の使用状況を表す情報として、現在の浴室又は給湯の設定温度を取得し、提示情報変更部４８０は、健康管理装置１００から取得された提示情報を、取得された設定温度に応じて変更する。具体的に説明すると、提示情報取得部４４０は、ユーザが消費すべき推奨消費カロリーを表す提示情報を健康管理装置１００から取得する。算出部４７０は、設定温度でユーザが入力した際におけるユーザの消費カロリーの推奨消費カロリーに対する過不足分を算出する。そして、提示情報変更部４８０は、算出された過不足分に応じて、設定温度を上げるべきか下げるべきかを表す提示情報を生成し、提示部４５０は、生成された提示情報をユーザに提示する。
【０１１７】
（変形例）
以上、本発明の実施の形態を説明したが、本発明を実施するにあたっては、種々の形態による変形及び応用が可能である。
【０１１８】
本発明において、上記実施の形態において説明した構成、機能、動作のどの部分を採用するのかは任意である。また、本発明において、上述した構成、機能、動作のほか、更なる構成、機能、動作が採用されてもよい。
【０１１９】
例えば、上記実施の形態では、健康管理システム１は、住宅Ｈ内に設置された１つの端末装置２００と２つの測定機器３００Ａ，３００Ｂと２つの宅内機器４００Ａ，４００Ｂとを備えていた。しかしながら、本発明において、健康管理システム１を構成する装置及び機器の個数はこれに限らない。すなわち、健康管理システム１は、２つ以上の端末装置２００を備えていても良いし、１つ又は３つ以上の測定機器３００を備えていても良いし、１つ又は３つ以上の宅内機器４００を備えていても良い。また、健康管理システム１は、いずれかの装置又は機器を備えていなくても良い。
【０１２０】
また、上記実施の形態では、健康管理の目標を表す目標情報は、ユーザが端末装置２００を操作して入力されるものであった。しかしながら、本発明において、目標情報は、ユーザによって入力されるものに限らない。例えば目標情報は、ユーザの年齢、性別及び身長等の情報に基づいて、ユーザにとって最適と考えられる目標情報が、端末装置２００又は健康管理装置１００等において自動的に生成されるものであってもよい。
【０１２１】
また、上記実施の形態では、健康管理装置１００は、健康管理に関する情報として、ユーザの健康状態の改善に向けたアドバイスを含む提示情報を生成し、出力先の端末装置２００、測定機器３００又は宅内機器４００に出力した。しかしながら、健康管理装置１００は、健康管理に関する情報として、例えば消費カロリー又は体重等の身体情報に関する客観的な数字を含むがアドバイスを含まない情報を出力しても良い。身体情報に関する数字だけが提示される場合であっても、ユーザは自身の健康状態を最低限把握することができるため、健康改善に役立てることができる。
【０１２２】
また、上記実施の形態では、健康管理装置１００において、目標情報取得部１２０が、端末装置２００において受け付けたユーザの目標情報を取得し、身体情報取得部１３０が、測定機器３００において測定されたユーザの身体情報を取得し、提示情報出力部１９０は、目標情報と身体情報との差異に応じた提示情報を宅内機器４００，４０１に出力した。しかしながら、本発明において、健康管理装置１００は、身体情報又は目標情報を取得しなくても良い。例えば、ユーザの健康管理に関する提示情報を、複数のユーザが存在する場合にはユーザ毎に情報記憶部１６０に予め記憶しておく。そして、通知情報取得部によって宅内機器４００，４０１から規定の通知情報が取得されると、提示情報出力部１９０が、情報記憶部１６０に記憶された提示情報のうちの、宅内機器４００，４０１を使用しているユーザに対応する提示情報を、宅内機器４００，４０１に出力するようにしても良い。
【０１２３】
また、上記実施の形態では、健康管理装置１００が住宅Ｈ内に設置されている場合について説明した。しかしながら、本発明において、健康管理装置１００と同等の機能を有する装置を住宅Ｈ外に設置するようにしてもよい。図１９に、この場合の健康管理システム２の例を示す。図１９に示す健康管理システム２では、住宅Ｈには、健康管理装置１００の代わりにルータ８０が設置されている。ルータ８０は、宅外ネットワークＮ２を介してサーバ９０と通信することができる装置であって、例えばブロードバンドルータである。サーバ９０は、クラウドコンピューティングにおけるリソースを提供するサーバである。宅外ネットワークＮ２は、例えば、インターネット等のＷＡＮ（Wide Area Network）である。この場合、ルータ８０とサーバ９０とが協調して健康管理装置１００の役割を果たす。
【０１２４】
また、上記実施の形態では、健康管理装置１００は、端末装置２００、測定機器３００及び宅内機器４００とは別の装置であった。しかしながら、本発明において、健康管理装置１００は、他の機器の中に内蔵されていても良い。例えば、健康管理装置１００は、端末装置２００、測定機器３００又は宅内機器４００のうちいずれかの機器に内蔵されていても良い。また、健康管理装置１００を単体で設置する場合は、健康管理装置１００を住宅Ｈ内に設置するため、住宅Ｈ外におけるサーバ９０が健康管理装置１００の役割を果たす場合よりも、健康管理装置１００の設置又は管理等の面においてコストを抑えることができる。
【０１２５】
上記実施の形態では、端末装置２００が表示部及び入力部を備えており、健康管理装置１００は、端末装置２００に入力された入力情報を、宅内ネットワークＮ１を介して取得した。しかしながら、本発明において、健康管理装置１００が表示部及び入力部を備えていてもよい。すなわち、健康管理装置１００自身に、端末装置２００の機能が備わっていてもよい。この場合、目標情報取得部１２０は、端末装置２００を介してではなく、健康管理装置１００に備えられた入力部を介して、ユーザによって入力された目標情報を取得する。
【０１２６】
上記実施の形態では、健康管理装置１００の制御部１１において、ＣＰＵがＲＯＭ又は記憶部１２に記憶されたプログラムを実行することによって、目標情報取得部１２０、身体情報取得部１３０、機器情報取得部１５０、健康管理計画生成部１７０、提示情報生成部１８０及び提示情報出力部１９０のそれぞれとして機能した。また、端末装置２００の制御部２１、測定機器３００の制御部３１及び宅内機器４００の制御部４１のそれぞれにおいて、ＣＰＵがＲＯＭ又は記憶部２２，３２，４２に記憶されたプログラムを実行することによって、目標情報受付部２１０、目標情報出力部２２０、身体情報測定部３１０、身体情報出力部３２０、ユーザ情報取得部４１０、機器情報出力部４２０、提示情報取得部２４０，３４０，４４０及び提示部２５０，３５０，４５０のそれぞれとして機能した。しかしながら、本発明において、制御部１１，２１，３１，４１は、専用のハードウェアであってもよい。専用のハードウェアとは、例えば単一回路、複合回路、プログラム化されたプロセッサ、ＡＳＩＣ（Application Specific Integrated Circuit）、ＦＰＧＡ（Field-Programmable Gate Array）、又は、これらの組み合わせ等である。制御部１１，２１，３１，４１が専用のハードウェアである場合、各部の機能それぞれを個別のハードウェアで実現してもよいし、各部の機能をまとめて単一のハードウェアで実現してもよい。
【０１２７】
また、各部の機能のうち、一部を専用のハードウェアによって実現し、他の一部をソフトウェア又はファームウェアによって実現してもよい。このように、制御部１１，２１，３１，４１は、ハードウェア、ソフトウェア、ファームウェア、又は、これらの組み合わせによって、上述の各機能を実現することができる。
【０１２８】
本発明に係る健康管理装置１００、端末装置２００、測定機器３００及び宅内機器４００のそれぞれの動作を規定する動作プログラムを既存のパーソナルコンピュータ又は情報端末装置等に適用することで、当該パーソナルコンピュータ又は情報端末装置等を、本発明に係る健康管理装置１００、端末装置２００、測定機器３００及び宅内機器４００のそれぞれとして機能させることも可能である。
【０１２９】
また、このようなプログラムの配布方法は任意であり、例えば、ＣＤ−ＲＯＭ（Compact Disk ROM）、ＤＶＤ（Digital Versatile Disk）、ＭＯ（Magneto Optical Disk）、又は、メモリカード等のコンピュータ読み取り可能な記録媒体に格納して配布してもよいし、インターネット等の通信ネットワークを介して配布してもよい。
【０１３０】
本発明は、本発明の広義の精神と範囲を逸脱することなく、様々な実施の形態及び変形が可能とされるものである。また、上述した実施の形態は、本発明を説明するためのものであり、本発明の範囲を限定するものではない。つまり、本発明の範囲は、実施の形態ではなく、特許請求の範囲によって示される。そして、特許請求の範囲内及びそれと同等の発明の意義の範囲内で施される様々な変形が、本発明の範囲内とみなされる。
【産業上の利用可能性】
【０１３１】
本発明は、在宅中のユーザに健康管理に関する情報を提示する技術に適用可能である。
【符号の説明】
【０１３２】
１，２  健康管理システム、１１  制御部、１２  記憶部、１３  計時部、１４  端末通信部、１５  機器通信部、２１  制御部、２２  記憶部、２３  ユーザインタフェース、２４  通信部、３１  制御部、３２  記憶部、３３  ユーザインタフェース、３４  通信部、３５  測定部、４１  制御部、４２  記憶部、４３  ユーザインタフェース、４４  通信部、４５  主要動作部、８０  ルータ、９０  サーバ、１００  健康管理装置、１２０  目標情報取得部、１３０  身体情報取得部、１５０  機器情報取得部、１６０  情報記憶部、１６１  管理テーブル、１６２  健康管理計画、１６３  アドバイスデータ、１７０  健康管理計画生成部、１８０  提示情報生成部、１９０  提示情報出力部、２００  端末装置、２１０  目標情報受付部、２２０  目標情報出力部、２４０  提示情報取得部、２５０  提示部、３００，３００Ａ，３００Ｂ  測定機器、３１０  身体情報測定部、３２０  身体情報出力部、３４０  提示情報取得部、３５０  提示部、４００，４００Ａ，４００Ｂ，４０１  宅内機器、４１０  ユーザ情報取得部、４２０  機器情報出力部、４４０  提示情報取得部、４５０  提示部、４６０  重量計測部、４７０  算出部、４８０  提示情報変更部、Ｈ  住宅、Ｎ１  宅内ネットワーク、Ｎ２  宅外ネットワーク
【図１】
0006664190.tif 000002
【図２】
0006664190.tif 000003
【図３】
0006664190.tif 000004
【図４】
0006664190.tif 000005
【図５】
0006664190.tif 000006
【図６】
0006664190.tif 000007
【図７】
0006664190.tif 000008
【図８】
0006664190.tif 000009
【図９】
0006664190.tif 000010
【図１０】
0006664190.tif 000011
【図１１】
0006664190.tif 000012
【図１２】
0006664190.tif 000013
【図１３】
0006664190.tif 000014
【図１４】
0006664190.tif 000015
【図１５】
0006664190.tif 000016
【図１６】
0006664190.tif 000017
【図１７】
0006664190.tif 000018
【図１８】
0006664190.tif 000019
【図１９】
0006664190.tif 000020